(57)【要約】【課題】意匠の汚損を防止する操作装置を提供する。【解決手段】操作装置１は、利用者による操作に基づいて操作信号を発するスイッチ５と、スイッチ５を収納し、スイッチ５を外側から操作可能な開口部２１を有する筐体２と、開口部２１を覆うエンボス３４が形成された表面パネル３と、を備え、表面パネル３は、透明部材３１と、第一の印刷層３２と、第二の印刷層３３からなり、透明部材３１は、前記利用者の側に配置される。【選択図】図２
2020177790.tif 000002
【特許請求の範囲】
【請求項１】
利用者による操作に基づいて操作信号を発するスイッチと、
前記スイッチを収納し、前記スイッチを外側から操作可能な開口部を有する筐体と、
前記開口部を覆うエンボスが形成された表面パネルと、
を備え、
前記表面パネルは、透明部材と、第一の印刷層と、第二の印刷層からなり、
前記透明部材は、前記利用者の側に配置される、
操作装置。
【請求項２】
前記第一の印刷層は、前記第二の印刷層よりも柔軟性が高い、
請求項１に記載の操作装置。
【請求項３】
前記第二の印刷層は、前記第一の印刷層よりも耐久性が高い、
請求項１から２のいずれか１つに記載の操作装置。
【請求項４】
前記第二の印刷層の厚みは、前記第一の印刷層の厚みよりも薄く構成される、
請求項１から３のいずれか１つに記載の操作装置。
【請求項５】
前記表面パネルを前記筐体に貼り付ける接着部をさらに備え、
前記接着部は、前記第二の印刷層と前記筐体の間に設けられる、
請求項１から請求項４のいずれか１つに記載の操作装置。
【請求項６】
前記第一の印刷層は、一液式塗料により印刷され、
前記第二の印刷層は、二液式塗料により印刷される、
請求項１から５のいずれか１つに記載の操作装置。
【請求項７】
前記第一の印刷層は、前記操作装置の意匠を構成する、
請求項１から請求項６のいずれか１つに記載の操作装置。
【発明の詳細な説明】
【技術分野】
【０００１】
本発明は、機器を操作するための操作装置に関する。
【背景技術】
【０００２】
従来の操作装置は、例えば、特許文献１に開示されるものがある。このリモコン装置は、装置本体の操作面に配設したスイッチと、前記スイッチを覆うように前記操作面上に配設され前記操作面の外面を形成するシートとを備え、前記スイッチの直上領域に位置する前記シートのボタン部にエンボス加工が施されたものである。
【先行技術文献】
【特許文献】
【０００３】
【特許文献１】特開２０１２−１４７３０２号公報
【発明の概要】
【発明が解決しようとする課題】
【０００４】
特許文献１に記載のリモコン装置は、ボタン部あるいはその近傍にスイッチが担当する機能を表示する機能表示文字を示している。この機能表示文字がシートの表面に形成されていると、利用者の操作により汚損するという問題がある。
【０００５】
そこで本発明の目的は、上述の課題に着目し、意匠の汚損を防止する操作装置を提供することにある。
【課題を解決するための手段】
【０００６】
本発明の操作装置は、
利用者による操作に基づいて操作信号を発するスイッチと、
前記スイッチを収納し、前記スイッチを外側から操作可能な開口部を有する筐体と、
前記開口部を覆うエンボスが形成された表面パネルと、
を備え、
前記表面パネルは、透明部材と、第一の印刷層と、第二の印刷層からなり、
前記透明部材は、前記利用者の側に配置される。
【発明の効果】
【０００７】
本発明は、意匠の汚損を防止する操作装置を提供する。
【図面の簡単な説明】
【０００８】
【図１】本発明の操作装置の斜視図である。
【図２】本発明の操作装置のＡ−Ａ線断面図である。
【発明を実施するための形態】
【０００９】
以下、本発明の操作装置の態様を図面を用いて説明する。
【００１０】
図１は、本発明の操作装置１の斜視図を示し、図２は、操作装置１のＡ−Ａ線断面図を示す。操作装置１は、筐体２と、表面パネル３を備える。表面パネル３は、エンボス３４を介してスイッチ５を操作可能に構成される。
【００１１】
筐体２は、合成樹脂材や金属からなり、操作装置１のスイッチ５やスイッチ５を実装する基板９を収納するケースである。筐体２は、スイッチ５を外側から操作するための開口部２１を有する。なお筐体２は、例えば上ケースと下ケースを組み合わせて構成されてもよい。さらに筐体２は、スイッチ５の操作信号を信号線を介して外部に取り出すための貫通穴が設けられていてもよい。
【００１２】
表面パネル３は、透明部材３１、第一の印刷層３２、第二の印刷層３３で構成され、開口部２１に対応する位置にエンボス３４を有する。
【００１３】
透明部材３１は、透明又は半透明の樹脂フィルムであり、利用者が透明部材３１を透過して第一の印刷層３２を視認可能に構成される。
【００１４】
第一の印刷層３２は、後述するエンボス３４のため、第二の印刷層３３に対して柔軟性の高い塗料を透明部材３１に印刷して形成される。また第一の印刷層３２は、操作装置１の意匠を構成するため、扱いが容易で発色がよい塗料であることが好ましい。そのため、第一の印刷層３２は、主に主剤によって構成される一液式のアクリル塗料やウレタン塗料を用いることができる。なお、第一の印刷層３２は、柔軟性を高めるために可塑剤が添加されていてもよい。
【００１５】
第二の印刷層３３は、第一の印刷層３２を保護するため、第一の印刷層３２に対して耐久性が高い塗料を第一の印刷層３２に印刷して形成される。そのため、第二の印刷層３３は、主に主剤と硬化剤によって構成される二液式のウレタン塗料やエポキシ塗料を用いることができる。ここいう塗装の耐久性は、例えば硬度や耐摩耗性である。
【００１６】
エンボス３４は、表面パネル３を型押し加工して設けた隆起であり、スイッチ５の位置を利用者に伝達すると共に、操作しやすくするために形成される。このとき、表面パネル３は、型押し加工により透明部材３１が引き伸ばされるが、柔軟性が高い第一の印刷層３２も共に引き伸ばされるため、塗膜に割れが発生せず意匠の汚損を防止することができる。
また、耐久性の高い第二の印刷層３３の厚さＤ２が、柔軟性の高い第一の印刷層３２の厚さＤ１よりも薄く構成されることで、表面パネル３にエンボス３４を形成する際の第二の印刷層３３の塗膜の割れを防止し、且つエンボス３４を介したスイッチ５の操作に影響を及ぼさず第一の印刷層３２を保護することができる。
【００１７】
接着部４は、両面テープや接着剤であり、第二の印刷層３３と筐体２の間に設けられる。接着部４は、表面パネル３の第二の印刷層３３を筐体２に貼り付ける。これにより、接着部４が収縮した場合や表面パネル３に力がかかった場合であっても、第一の印刷層３２への応力が小さくなり、第一の印刷層３２を保護することができる。
【００１８】
スイッチ５は、例えば押しボタンスイッチやメンブレンスイッチであり、利用者の入力操作に基づいて操作信号を出力する。スイッチ５は、後述する基板９に直接実装されていてもよく、信号線等を通じて操作信号を基板９に伝達してもよい。
【００１９】
基板９は、ガラスエポキシ樹脂等で形成され、操作装置１を制御するための図示しない電子回路を備える。また基板９は、スイッチ５の操作信号を外部に取り出すために、図示しない無線モジュール又は筐体２を通過する図示しない信号線を備える。
【００２０】
上述の態様は、以下の効果を奏する。
【００２１】
操作装置１は、
利用者による操作に基づいて操作信号を発するスイッチ５と、
スイッチ５を収納し、スイッチ５を外側から操作可能な開口部２１を有する筐体２と、
開口部２１を覆うエンボス３４が形成される表面パネル３と、
を備え、
表面パネル３は、透明部材３１と、第一の印刷層３２と、第二の印刷層３３からなり、
透明部材３１は、前記利用者の側に配置される。
【００２２】
操作装置１は、表面パネル３の透明部材３１を利用者の側に配置することで、利用者が第一の印刷層３２を汚損することを防止する。
【００２３】
操作装置１において、
第一の印刷層３２は、第二の印刷層３３よりも柔軟性が高い。
【００２４】
操作装置１は、第一の印刷層３２の柔軟性を高くすることで、表面パネル３にエンボス３４を形成する際の第一の印刷層３２の汚損を防止することができる。
【００２５】
操作装置１において、
第二の印刷層３３は、第一の印刷層３２よりも耐久性が高い。
【００２６】
操作装置１は、第二の印刷層３３の耐久性を高くすることで、第一の印刷層３２を保護することができる
【００２７】
操作装置１において、
第二の印刷層３３の厚みは、第一の印刷層３２の厚みよりも薄く構成される。
【００２８】
操作装置１は、第二の印刷層３３の厚みを第一の印刷層３２の厚みよりも薄くすることで、表面パネル３にエンボス３４を形成する際の第二の印刷層３３の損傷を防止し、且つ表面パネル３を介したスイッチ５の操作に影響を及ぼさず第一の印刷層３２を保護することができる
【００２９】
操作装置１において、
表面パネル３を筐体２に貼り付ける接着部４をさらに備え、
接着部４は、第二の印刷層３３と筐体２の間に設けられる。
【００３０】
操作装置１は、第二の印刷層３３と筐体２の間に接着部４を設けることで、第一の印刷層３２への応力を小さくし、第一の印刷層３２を保護することができる。
【００３１】
操作装置１において、
第一の印刷層３２は、一液式塗料により印刷され、
第二の印刷層３３は、二液式塗料により印刷される。
【００３２】
操作装置１は、第一の印刷層３２を扱いの容易な一液式塗料で印刷し、第二の印刷層３３を耐久性の高い二液式塗料で印刷することで、表面パネル３の生産性と耐久性を両立することができる。
【００３３】
操作装置１において、
第一の印刷層３２は、操作装置１の意匠を構成する。
【００３４】
操作装置１は、第一の印刷層３２が意匠を構成することにより、利用者が透明部材３１を透過して意匠を視認可能に構成される。
【００３５】
なお、本発明の操作装置を上述した態様にて例に挙げて説明したが、本発明はこれに限定されるものではなく、他の構成においても、本発明の要旨を逸脱しない範囲において種々の改良が可能なことは勿論である。
【００３６】
また、上述の態様において、表面パネル３を利用者が操作する面に設けたが、筐体２の任意の部位に適用してもよい。
【産業上の利用可能性】
【００３７】
本発明は、操作装置に関して、例えば、車両用計器や家庭用・業務用の空気調和機、事務用印刷機などの機器を対象にした操作手段として好適である。
【符号の説明】
【００３８】
１    操作装置
２    筐体
２１  開口部
３    表面パネル
３１  透明部材
３２  第一の印刷層
３３  第二の印刷層
３４  エンボス
４    接着部
５    スイッチ
９    基板
【図１】
2020177790.tif 000003
【図２】
2020177790.tif 000004